(57)【特許請求の範囲】
【請求項１】
天板の下方に横架材を有する机の当該天板の下方に設置する収納ラックであって、当該収納ラックは、
上下方向に延びる脚構造体と、
脚構造体上端に配設され、当該脚構造体上端側を天板の下面に当接する第１当接部と、
脚構造体下端に配設され、当該脚構造体下端側を床に当接する第２当接部と、
脚構造体背面の上端から下端の間に配設され、当該脚構造体を横架材に係止する係止部と、
脚構造体前面の上端から下端の間に配設され、収納物を収納する収納部と、
を具備してなることを特徴とする収納ラック。
【請求項２】
係止部は、脚構造体を横架材に対して前後方向に係止すると共に、左右方向には移動を許容するように形成した請求項１の収納ラック。
【請求項３】
係止部は、脚構造体背面から後方に延びる第１横壁片と、該第１横壁片の後端から上方に延びる立壁片と、該立壁片上端から脚構造体背面側に延びる第２横壁片とを備え、
脚構造体背面と、第１横壁片と、立壁片と、第２横壁片で囲まれた空間を横架材の構造部分が横貫することにより、前記脚構造体を当該横架材に係止する請求項２の収納ラック。
【請求項４】
係止部は、当該係止部を脚構造体に固定するための固定手段によって脚構造体に着脱可能に固定され、かつ、
前記固定手段は、係止部の固定位置を前記脚構造体の上下方向において変位させる調節機構を備えた請求項１〜３のいずれかの収納ラック。
【請求項５】
係止部の固定手段は、係止部に配設された係止つばと、脚構造体背面の上下方向に列設した前記つばを係合する複数のスリットを調節機構として備えた請求項４の収納ラック。
【請求項６】
横架材は、電子機器の配線を収納するためのダクトである請求項１〜５のいずれかの収納ラック。
【発明の詳細な説明】
【技術分野】
【０００１】
本発明は、机の下方に収納物を収納するための、収納ラックに関するものである。
【背景技術】
【０００２】
従来から、天板下に袖キャビネットなどを有しない天板と脚のみからなる机として、例えば特許文献１に記載されているものがある。特許文献１には、天板の前後左右に１本ずつ柱状の脚を有する机と、机の左右方向に延びる横梁を設け、この横梁に対して、左右両端に１本ずつの脚と、上面に天板を設けたものが記載されている。また、机を支える脚として、柱状ではなく板状脚を有する机が、例えば特許文献２に記載されている。特許文献２では、机を支える脚が板状の端部脚と柱状の中間脚であり、両脚の間を脚間モジュールで連結した机が記載されている。
【０００３】
近年のパーソナル・コンピュータ（以下、ＰＣという）等の電子機器の普及に伴い、これらの電子機器を机の周囲に配置することが一般化している。特許文献２では、これに対応すべく脚間モジュールに電子機器の配線を収納するためのダクトを設けたものが記載されている。
【０００４】
ところで、前記特許文献２に記載の机は、電子機器の配線を納めるためのダクトを有しているが、机自体は汎用的に使用するものであるから、電子機器を収納するための機構等は有していない。このため、電子機器を机の上に置くと、本来作業のための領域である天板の一部が載置した電子機器によって占有されてしまう。電子機器以外にも、鞄や靴或いは書類等でも全く同じ問題が発生する。
【０００５】
ここで、机の脇に専用の収納ラック等を配置することができなければ、電子機器や鞄、靴、書類等（以下、電子機器等という）は必然的に机の下、すなわち床上に置くこととなる。しかし、鞄や靴或いは書類等を土埃等で汚れた床上に置くことは忌避されることがあり、電子機器については床上に直置きすると埃を吸いこんで故障の原因となる。特に吸気ファンや排気ファンを使用して内部を冷却するＰＣにとって、床上のように埃を吸込み易い場所にこれを設置することは望ましくない。しかも、床上に電子機器等を置いた場合には、作業者の足元の空間が制限されることになり、これも望ましくない。
【先行技術文献】
【特許文献】
【０００６】
【特許文献１】特開２００９−０３０８１０号公報
【特許文献２】特開２００７−１５１８２４号公報
【発明の概要】
【発明が解決しようとする課題】
【０００７】
本発明は前述の状況に着目し、天板上面の作業領域を犠牲とせず、かつ床上から離れた場所に電子機器等を収納することができるようにした収納ラックを提供することを、その課題とするものである。
【課題を解決するための手段】
【０００８】
上記課題を解決することを目的としてなされた本発明の構成は、天板の下方に横架材を有する机の当該天板の下方に設置する収納ラックであって、当該収納ラックは、上下方向に延びる脚構造体と、脚構造体上端に配設され、当該脚構造体上端側を天板の下面に当接する第１当接部と、脚構造体下端に配設され、当該脚構造体下端側を床に当接する第２当接部と、脚構造体背面の上端から下端の間に配設され、当該脚構造体を横架材に係止する係止部と、脚構造体前面の上端から下端の間に配設され、収納物を収納する収納部と、を具備してなることを特徴とするものである。
【０００９】
本発明収納ラックは、係止部を、脚構造体を横架材に対して前後方向に係止すると共に、左右方向には移動を許容するように形成することが望ましい。
【００１０】
本発明収納ラックは、前記係止部が、脚構造体背面から後方に延びる第１横壁片と、該第１横壁片の後端から上方に延びる立壁片と、該立壁片上端から脚構造体背面側に延びる第２横壁片とを備え、脚構造体背面と、第１横壁片と、立壁片と、第２横壁片で囲まれた空間を横架材の構造部分が横貫することにより、前記脚構造体を当該横架材に係止すると好適である。
【００１１】
本発明収納ラックは、係止部が、当該係止部を脚構造体２に固定するための固定手段によって脚構造体に着脱可能に固定され、かつ、前記固定手段は、係止部の固定位置を前記脚構造体の上下方向において変位させる調節機構を備えてもよい。
【００１２】
本発明収納ラックの係止部は、該係止部の固定手段を、係止部に配設された係止つばと、脚構造体背面の上下方向に列設した前記つばを係合する複数のスリットを調節機構として備えてもよい。
【００１３】
本発明収納ラックを取り付ける机の横架材は、電子機器の配線を収納するためのダクトであってもよい。
【００１４】
本発明収納ラックの第１当接部は、天板下面に当接する略水平な面を有する当接部と、該当接部と脚構造体上端の距離を調節する調節部とから構成され、前記脚構造体は、前記当接部を天板下面に圧接することにより机に係止されるようにしてもよい。
【００１５】
本発明収納ラックは、第２当接部を１又は２以上のアジャスターから形成してもよい。
【００１６】
本発明収納ラックの収納部は、収納物を載置する棚部と、当該棚部の左右両端からそれぞれ上方に立上げた立壁部を備え、前記立壁部後端側において脚構造体に固定されてもよい。
【００１７】
本発明収納ラックの収納部は、該収納部を脚構造体に固定するための固定手段によって、脚構造体に着脱可能に固定され、かつ、前記固定手段は、収納部の固定位置を前記脚構造体の上下方向において変位させる調節機構を備えてもよい。
【００１８】
本発明収納ラックの収納部は、該収納部の固定手段を、収納部の立壁後端側に配設された係止つばと、脚構造体前面の上下方向に列設した前記つばを係合する複数のスリットを調節機構として備えてもよい。
【００１９】
本発明収納ラックの脚構造体は、電子機器を収納した際に、当該電子機器の配線を通すために当該脚構造体を前後方向に貫通する穴が形成されてもよい。
【発明の効果】
【００２０】
本発明は上記構成により、電子機器等を机の天板下方に収納することができるので、天板上の作業領域が制限されることがない。また、床上から離れた収納部に収納物を収納できるので、土埃等で汚れた床上に収納物を直接置くことを回避することができる。収納物が電子機器の場合には、床上の埃を吸いこんで故障の原因となることを防ぐことができる。
本発明では、第１当接部と第２当接部に加えて、第１当接部と第２当接部の間にある係止部が収納ラックを横架材に係止する構成により、収納部の下方に柱等の構造体を別途に設けなくとも収納ラックの倒れを防止することができるので、作業者の足元の空間を制限することがなく、快適な作業環境を提供することができる。
【００２１】
本発明の係止部を、収納ラックを前後方向において係止拘束すると共に、左右方向には移動を許容した場合には、第１及び第２当接部による当接係止を解くことで収納ラックは前後方向に関してのみ机に支持されている状態となるため、横架材をレール代わりにして横方向の任意の位置に移動することができる。
【００２２】
本発明の係止部を、第１及び第２横壁片と、立壁片から構成され、側面視略コ字状断面の部材で形成した場合には、係止部の断面と脚構造体の背面によって上面の一部が開口した略箱形の空間が形成されるので、この箱型の空間内に横架材を通すことにより、左右方向、すなわち横架材の長さ方向については収納ラックを移動可能としつつ、上下及び前後方向において収納ラックの位置を固定することができる。収納ラックが前後方向に加え上下方向の位置も固定されることにより、第１及び第２当接部の当接状態を緩めても収納ラックが横架材から外れることはなく、当該ラックの左右方向の位置の変更をより容易におこなうことができる。
【００２３】
本発明の横架材が配線を収納するためのダクトである場合には、ＯＡ用の机として天板と、脚と、配線収納ダクトのみで構成されている机も多数存在するので、この様なＯＡ机に対しても本発明の収納ラックを好適に取り付けることができる。
【００２４】
本発明の収納ラックが、第１当接部の略水平な面を有する当接部を天板下面に圧接することで机に係止される場合には、机側にこれを取り付けるための特定の形状又は構造を有している必要が無く、さまざまな机に汎用的に取り付けることができる。さらに、第１当接部の調節部によって脚構造体上端から当接部までの距離を調整することができるので、収納ラックをさまざまな高さの机に汎用的に取り付けることができる。
【００２５】
本発明の第２当接部が、１又は２以上のアジャスターによって構成されている場合には、脚構造体の高さを調整できるので収納ラックをさまざまな高さの机に汎用的に取り付けることができる。さらに、第１当接部の調節部との協働作用により、収納ラック全体の高さを一定に保ちつつ、脚構造体及び係止部の上下方向位置を調節することができる。これにより、収納ラックをさまざまな高さの横架材に汎用的に取り付けることができる。また、アジャスターを２以上有する場合は、本発明の収納ラックを不陸な床に取り付ける場合でも、脚構造体を床と垂直方向に固定することが容易となる。
【００２６】
本発明の係止部が、その固定位置を調節機構によって上下方向に変位することができる場合には、収納ラックをさまざまな高さの横架材に汎用的に取り付けることができる。また、係止部が固定手段によって着脱可能な構成となっていることにより、横架材の形状や構造に合わせて係止部を交換することができるので、収納ラックをさまざまな形状、構造の横架材に汎用的に取り付けることができる。
【００２７】
本発明の係止部と脚構造体が、係止部に配設された係止つばを脚構造体に配設されたスリットに係合して固定される場合には、例えばボルトとナットを使用して固定する場合等のように専用工具を用いる必要がなく、係止部の着脱や交換を容易におこなうことができる。
【００２８】
本発明の収納部が、電子機器を載置する棚部と、棚部の左右両端から上方に延びる２枚の立壁部から構成されている場合には、この立壁部が電子機器の荷重を受け止める構造となっている。これにより収納部を薄板等を折り曲げて製造することができるので、製造コストを低くすることができる。
【００２９】
本発明の収納部が、その固定位置を調節機構によって脚構造体の上下方向に変位することができる場合には、さまざまな高さを持つ電子機器を収納ラックに収納することができる。ここで、収納部は固定手段によって着脱可能な構成となっていることにより、収納する電子機器の形状や構造、大きさによって収納部を交換することができるので、さまざまな形態の電子機器を収容することができる。
【００３０】
本発明の収納部と脚構造体が、収納部に配設された係止つばを脚構造体に配設されたスリットに係合して固定される場合には、例えばボルトとナットを使用して固定する場合等のように専用工具を用いる必要がなく、収納部の着脱や交換を容易におこなうことができる。
【００３１】
本発明の脚構造体に前後方向に貫通する穴を設けた場合には、収納した電子機器の配線を穴を通して収納ラックの収納部と反対側に出すことができる。作業者の足元を配線が這うことを防止できると共に、複数の配線を必要とする電子機器においては、配線をまとめやすくなる。
【図面の簡単な説明】
【００３２】
【図１】本発明の収納ラックの実施形態の一例を示す図で、（ａ）は正面側俯瞰斜視図、（ｂ）は背面側蛙瞰斜視図。
【図２】図１の実施形態における右側面図。
【図３】図１の実施形態における正面図。
【図４】図１の実施形態における平面図。
【図５】図１の実施形態における底面図。
【図６】図３の実施形態におけるＡ−Ａ線矢視上半部の拡大断面図
【図７】図１の実施形態における第１当接部の一の作用を説明するための側面図。
【図８】図１の実施形態における第１当接部の他の作用を説明するための側面図。
【図９】本発明の収納ラックの使用態様の一例を示す正面図。
【図１０】本発明の収納ラックの使用態様の一例を示す右側面図。
【発明を実施するための形態】
【００３３】
以下、本発明の実施形態の一例を、図面を参照して説明する。
本発明の実施形態の一例に係る収納ラック１は、図１〜図５に示すように、脚構造体２と、第１当接部３と、第２当接部４と、係止部５と、収納部６から成る。
【００３４】
一方、上記の収納ラック１を取り付ける机７は、たとえば図９に示すように、天板１０と、左右の端部脚１１と、両脚１１の間の中間脚１２と、横架材の一例としてダクト１３、１４（図２参照）を有しており、板状の端部脚１１と柱状の中間脚１２によって板状の天板１０を支えた上で、これを左右に複数連結している。端部脚１１と中間脚１２の間には、図２に示すように、断面縦長略コ字状の板材によるダクト１３、１４が開口部を互いに向き合わせて横架されている。ダクト１３、１４の断面は、立壁１３ａ、１４ａと、該立壁１３ａの上下端部を水平方向に曲げた天壁１３ｂ、１４ｂと、底壁１３ｃ、１４ｃと、天、底両壁端で垂直方向に返した返し立壁１３ｄ、１４ｄを備えて、底壁部に電子機器等の配線等を収納できる形状となっている。また、ダクト１３、１４には、図１０に示すように、天壁１３ｂ、１４ｂに蓋２３が取り付けられ、底壁１３ｃ、１４ｃに底板２４が取り付けられている。
【００３５】
本発明収納ラック１における本実施形態例の脚構造体２は、図１〜図５に示すように、上下に延びる平行な２本の柱２ａ、２ｂと、両柱２ａ、２ｂの上端部、中間部、下端部をそれぞれつなぐブラケット２ｃ、２ｄ、２ｅから構成されている。両柱２ａ、２ｂはそれぞれ平面視断面略コ字状の板材であり、互いの開口部を向き合わせて配置されている。
なお、本実施形態例の脚構造体２は上記のように２本の柱２ａ、２ｂによって上下の荷重を支える構成となっているが、これを板状部材の両端を折り曲げて柱を形成する等しても良い。その際には、両柱の間に穴を設け、収容物９が電子機器である場合に配線を通すことができるようにしてもよい。
【００３６】
上記脚構造体２の上端部に配置形成された第１当接部３は、図１（ａ）及び図６に示すように、正面視略コ字型の当接部１６と、これを上下方向に昇降させる調節部１５から構成されている。
当接部１６は図３に示すように、水平面１６ａと、水平面１６ａの左右両端の下向き立脚片１６ｂから構成されている。水平面１６ａの上面には、滑り止めのためのゴム１９が貼着されている。また、一方の立脚片１６ｂの下端は、さらに横方向に延びる返し部１６ｃを有している。左右の立脚片１６ｂを後述するスリット１７ｂに挿入することにより、当接部１６が脚構造体２に取り付けられている。
調節部１５は、ネジ１８と、脚構造体２上端部のブラケット２ｃにネジ１８を螺装するためのネジ穴１７ａと、ブラケット２ｃに当接部１６を架装するためのスリット１７ｂから構成されている。前記２つのネジ穴１７ａに夫々にネジ１８を取り付け、ネジ１８を正逆回転させることで、ブラケット２ｃからのネジ１８の出没量を変化させることができる。
図７及び図８に示すように、ネジ１８の進出方向には水平面１６ａが存在するので、ネジ１８を正逆回転させることにより水平面１８ａと脚構造体２の上端面との距離を調節することができる。なお、本発明収納ラック１を運搬時などに天地逆さま姿勢にしても、返し部１６ｃがブラケット２ｃに引っ掛かることによって、当接部１６が調節部１５から脱落することを防止する。
【００３７】
第２当接部４は、具体的には図３に示すように、脚構造体２下端に取り付けられた２つのアジャスター４ａ、４ｂにより構成されている。このアジャスター４ａ及び４ｂは、脚構造体２下端部のブラケット２ｅの左右にそれぞれ取り付けられており、アジャスター４ａ又は４ｂを正逆回転させることによって脚構造体２下端と床８との距離を調節することができる。
【００３８】
係止部５は、図２及び図６に示すように、側面大略コ字状部を備えた部材で形成されている。具体的には、脚構造体２の柱２ａ、２ｂの背面と当接する立姿勢のフランジ５ａ、該フランジ上端から後方に延びる第１横壁片５ｂ、第１横壁片末端から上方に延びる立壁片５ｃ、立壁片の上端から脚構造体２の背面側に向けて延びる第２横壁片５ｄから構成されている。
係止部５は脚構造体２における柱２ａ、２ｂの背面、第１横壁片５ｂ、立壁片５ｃ、第２横壁片５ｄによって、図６に示すように箱形断面を形成している。
本実施形態における収納ラック１を机７に取り付ける際には、上記箱形断面の内側にダクト１３ａ下部の構成部分１３ａ、１３ｃ、１３ｄの外面を当接させて、ダクト１３を横架材として係止部５が係止される。
また、この係止部５のフランジ５ａには左右に２つのネジ穴５ｅ（図３参照）が設けられており、一方でこれに対して脚構造体２中間部のブラケット２ｄにも、これに対応するボルト穴２ｆが設けられている。係止部５の取り付けは、ブラケット２ｄのボルト穴２ｆをボルト２０が貫通し、フランジ５ａのネジ穴５ｅに螺合して行う。
なお、本実施例ではブラケット２ｄを介して係止部５を脚構造体２に取り付けているが、脚構造体２自体に直接ボルト等で取り付けても良く、さらに、係止部５と脚構造体２との固定を、ボルトに変えてスリットと係止用つばにしてもよい。ブラケット２ｄの取付位置やスリットを脚構造体２の上下方向に複数設けて、係止部５の取付位置を上下に調整可能とすることも有効である。ここで、係止部５は、収納部６よりも高い位置で脚構造体２に設定する方が、本発明収納ラックの転倒防止効果は高くなる。
【００３９】
収納部６は、図２〜図５に示すように、収納物９を載置するための棚部６ａと、棚部６ａの左右両端から上方向に立ち上げた２枚の立壁部６ｂ、６ｃから構成されている。立壁部６ｂ、６ｃには、脚構造体２との当接側に折り返し部６ｄ、６ｅを有しており、この折り返し部６ｄ、６ｅに穴６ｆが設けられている。一方、脚構造体２の左右の柱２ａ、２ｂの収納部６と当接する前面には穴２ｇが設けられており、収納部６を脚構造体２に取り付ける際に、前記収納部６の穴６ｆと脚構造体２の穴２ｇの位置を合わせ、両穴にボルト２１を通して締結することにより取り付ける。
なお、脚構造体２側の穴２ｇを上下方向に複数設け、収納部６を固定する位置を上下に変更できるようにしてもよい。また、収納部６と脚構造体２との固定はボルト２１を使用しているが、これをスリットと係止つばに変更してもよい。
【００４０】
本発明において、前記収納部６の棚部６ａの左右両端付近には、固定用ベルト２２を通すためのスリット６ｇが設けられている。このスリット６ｇは、収納物９を収納ラック１に収納する際に、収納物９を棚部６ａ上に載置し、脚構造体２の両柱２ａ、２ｂの間に配線を通した上で、固定用ベルト２２によって収納物９を収納部６に固定するためのものである。
【００４１】
以上に説明した本発明収納ラック１を机７に取り付ける際には、図９及び図１０に例示するように、脚構造体２の両柱２ａ、２ｂの背面と係止部５の第１横壁片５ｂ、立壁片５ｃ、第２横壁片５ｄによって形成された箱状空間内に、ダクト１３の下部の構成部分が包接されるように支持させる。そして、アジャスター４ａ、４ｂを調節して第２当接部４を床８と当接させて、収納ラック１を床８上に載置する。次いで、調節部１５によって当接部１６の水平面１６ａを上昇させ、天板１０の下面にこれを圧接する。上記操作によって、天板１０の下面と床８の間に収納ラック１を突っ張らせ、これを固定する。
【００４２】
本実施形態に係る収納ラック１は、上記構成により机７の天板下方に設置されるから、収納物９を机７の上に置く場合のように天板１０の作業面積を制限することなく、収納物９を収納することができる。さらに、収納部６が床８から離れた位置に位置付けられるので、土埃等で汚れた床上に収納物９を直接置くことを回避することができる。さらに、収納物９がＰＣ等の電子機器である場合に、埃を吸いこむことで故障の原因となることを防ぐことができる。ＰＣ等は吸気ファンや排気ファンを用いて内部を冷却するので、特に有効である。
また、収納ラック１には収納部６に載置した収納物９の重量等によりこれを前方に倒す方向の荷重がかかるが、これを係止部５で受け止めているので、収納部６の下方には収納物９の重量を支えるための柱等を別途用いる必要が無い。第１当接部、第２当接部、係止部の３つの部で収納ラック１を机に取り付ける事により、作業者の足元空間を犠牲にすることなく収納ラック１の倒れを防止することができ、作業者の足等が収納ラック１に接触した場合でも、係止部５が机７のダクト１３に係止されているので、収納ラック１の倒れを防止することができる。
【００４３】
本発明収納ラック１は係止部５によって横架部材であるダクト１３に係止されているが、このダクト１３が脚構造体２と係止部５の間の空間を左右に通すように係止されているので、ダクト１３の前後及び上下方向に収納ラック１の位置を変更することはできないが、左右方向には位置を変えることが可能となっている。これにより、収納ラック１を机７に取り付ける際には、図９に示すように、係止部５をダクト１３に係止した状態で、ダクト１３をあたかもレールの様にして左右方向に移動させることができる。特に、収納ラック１を机７に取り付けて収納物９を収納した後に、収納ラック１の位置を変更したい場合には、第１当接部３及び第２当接部４の当接係止を緩めるだけで位置を容易に変更することができる。位置を変更した後は、再度第１当接部３及び第２当接部４を当接係止するのみで済み、大がかりな作業を必要としない。
【００４４】
第１当接部３は、調節部１５によって当接部１６と脚構造体２上端の距離を調節する。これにより、収納ラック１の上下方向長さを伸縮できるので、この伸縮が可能な範囲において、収納ラック１をさまざまな高さの机に取り付けることができる。また、第１当接部３と机７の当接係止は、当接部の水平面１６ａを天板１０の下面に圧接することでおこなうので、天板１０側には収納ラック１を係止するための特定の形状や構造を有している必要が無く、収納ラック１は汎用的にさまざまな机に取り付けることができる。
【００４５】
第２当接部４は、左右方向に配置された２つのアジャスター４ａ、４ｂによって構成されている。これにより、脚構造体２及びこれに取り付けられた係止部５の高さを調整することができるので、調節部１５の機能と併せてさらに調整範囲を大きくすることができる。特に、収納ラック１の全体の高さを変えずに、脚構造体２及び係止部５の上下位置を調整することができるので、この調整範囲において、さまざまな高さのダクト１３に汎用的に収納ラック１を取り付けることができる。
また、アジャスター４ａ、４ｂが２つ設けられているので、これをそれぞれ独自に調節することにより、床８が不陸な場合であっても本発明収納ラック１を容易に取り付けることができ、かつ左右方向にその収納ラック１が倒れにくくなる。
【００４６】
さらに、本実施例の収納ラック１は係止部５をダクト１３と係止し、かつ脚構造体２の両柱２ａ、２ｂの間に配線を通すことができることにより、収納物９がＰＣ等の電子機器である場合には配線を両柱２ａ、２ｂの間に通してダクト１３に誘導することができ、配線の取り回しを簡素で外観を損なわないものとすることができる。また、収納部６は棚部６ａと、その左右両端から上方向に延びる立壁部６ｂ、６ｃから構成されているので、収納部６は立壁部６ｂ、６ｃによって上下及び前後方向に剛性を付与するリブとしての効果が得られる。これにより、収納部６が金属薄板等を折り曲げて形成したものであっても、収納物９の重量を支えることができる。
【００４７】
なお、本発明の構成は上記実施形態に限られるものではない。
例えば本実施形態ではダクト１３を横架材として利用しているが、配線を収納できない横方向の天板支持体や梁部材でもよい。
また、本実施形態では脚構造体２を両柱２ａ、２ｂをブラケット２ｃ、２ｄ、２ｅでつなげた構成としているが、十分に剛性がある材質を使用して柱を設けない板状部材としても良い。他にも、両柱２ａ、２ｂの間の空間を有効に利用するために、脚構造体２を箱状の筺体として構成しても良い。この場合には収納部６に収納物９を収納した上で、さらに新たな収納スペースを収納ラック１に設けることができるので、作業者が靴を脱ぎ換えた際に、脱いだ靴を一時的に収納しておくことも可能となる。
また、収納部６の形状や構成は収納物９によってさまざまな形状、構造とすることができる。本実施形態では収納物として電子機器のような重量物を載置できる構成としているが、鞄や靴等を収納する場合には、例えば収納部６をフック状部材とし、該フック状部材に鞄や靴を引っかけるようにしてもよい。
その他の具体的構成についても上記の実施形態に限られるものではなく、本発明の趣旨を逸脱しない範囲でさまざまな変更が可能である。
【符号の説明】
【００４８】
１  収納ラック
２  脚構造体
３  第１当接部
４  第２当接部
５  係止部
６  収納部
７  机
８  床
９  収納物
１０  天板
１１  端部脚
１２  中間脚
１３、１４  ダクト
１５  調節部
１６  当接部
１７ａ  ネジ穴
１７ｂ  スリット
１８  ネジ
１９  ゴム
２０、２１  ボルト
２２  固定用ベルト
２３  蓋
２４  底板
【図１】
0005864965.tif 000002
【図２】
0005864965.tif 000003
【図３】
0005864965.tif 000004
【図４】
0005864965.tif 000005
【図５】
0005864965.tif 000006
【図６】
0005864965.tif 000007
【図７】
0005864965.tif 000008
【図８】
0005864965.tif 000009
【図９】
0005864965.tif 000010
【図１０】
0005864965.tif 000011